(57)【要約】無線通信におけるアップリンク・リソースの管理が示される。１つの実施形態において、アップリンク・リソースの管理は、アップリンク送信のために利用可能なマルチ・ビット・アクノレッジ（マルチ・ビットＡ／Ｎ）を受信することと、マルチ・ビットＡ／Ｎとともにアップリンク送信のために利用可能なその他の情報を受信することとを備える。次に、条件が満たされているかが判定される。条件が満たされている場合、マルチ・ビットＡ／Ｎを備えているがその他の情報を省いているアップリンク・メッセージが生成される。条件が満たされていない場合、マルチ・ビットＡ／Ｎとその他の情報とをともに符号化するアップリンク・メッセージが生成される。その後、アップリンク・メッセージが受信機に送信される。
2011520389.tif 000002
【特許請求の範囲】
【請求項１】
無線通信システムにおいて使用される方法であって、
アップリンク送信に利用可能なマルチ・ビット・アクノレッジ（マルチ・ビットＡ／Ｎ）を受信することと、
アップリンク送信に利用可能なその他の情報を、前記マルチ・ビットＡ／Ｎと共に受信することと、
条件が満たされているかを判定することと、
前記条件が満たされている場合、前記マルチ・ビットＡ／Ｎを備えるメッセージを構築し、前記その他の情報を省くことと、
前記メッセージを、アップリンク・チャネルで受信機へ送信することと
を備える方法。
【請求項２】
前記条件は、前記マルチ・ビットＡ／Ｎのサイズとして定義され、前記マルチ・ビットＡ／Ｎのサイズが、予め定義されたしきい値よりも大きい場合、前記条件が満たされる請求項１に記載の方法。
【請求項３】
前記条件は、符号化後の前記マルチ・ビットＡ／Ｎのサイズとして定義され、符号化後の前記マルチ・ビットＡ／Ｎのサイズが、予め定義されたしきい値よりも大きい場合、前記条件が満たされる請求項１に記載の方法。
【請求項４】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値よりも大きい場合、前記条件が満たされる請求項１に記載の方法。
【請求項５】
前記条件は、符合化後の前記マルチ・ビットＡ／Ｎのサイズと、符号化後の前記その他の情報のサイズとの合計として定義され、符号化後の前記マルチ・ビットＡ／Ｎのサイズと、符合化後の前記その他の情報のサイズとの合計が、予め定義されたしきい値よりも大きい場合、前記条件が満たされる請求項１に記載の方法。
【請求項６】
前記条件が満たされていない場合、前記マルチ・ビットＡ／Ｎと前記その他の情報とをともに符号化することと、
前記条件が満たされていない場合、ともに符号化されたマルチ・ビットＡ／Ｎとその他の情報とを備えるメッセージを構築することと
をさらに備える請求項１に記載の方法。
【請求項７】
前記条件は、前記マルチ・ビットＡ／Ｎのサイズとして定義され、前記マルチ・ビットＡ／Ｎのサイズが、予め定義されたしきい値未満である場合、前記条件は満たされない請求項６に記載の方法。
【請求項８】
前記条件は、符合化後の前記マルチ・ビットＡ／Ｎのサイズとして定義され、符合化後の前記マルチ・ビットＡ／Ｎのサイズが、予め定義されたしきい値未満である場合、前記条件は満たされない請求項６に記載の方法。
【請求項９】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値未満である場合、前記条件が満たされない請求項６に記載の方法。
【請求項１０】
前記条件は、符合化後の前記マルチ・ビットＡ／Ｎのサイズと、符号化後の前記その他の情報のサイズとの合計として定義され、前記合計が、予め定義されたしきい値未満である場合、前記条件が満たされない請求項６に記載の方法。
【請求項１１】
マシンによって実行された場合、前記マシンに対して以下の動作を実行させるための命令群を備えるマシン読取可能媒体であって、前記動作は、
アップリンク送信に利用可能なマルチ・ビット・アクノレッジ（マルチ・ビットＡ／Ｎ）を受信することと、
アップリンク送信に利用可能なその他の情報を、前記マルチ・ビットＡ／Ｎと共に受信することと、
条件が満たされているかを判定することと、
前記条件が満たされている場合、前記マルチ・ビットＡ／Ｎを備えるメッセージを構築し、前記その他の情報を省くことと、
前記メッセージを、アップリンク・チャネルで受信機へ送信することと
を含むマシン読取可能媒体。
【請求項１２】
前記条件は、前記マルチ・ビットＡ／Ｎのサイズとして定義され、前記マルチ・ビットＡ／Ｎのサイズが、予め定義されたしきい値よりも大きい場合、前記条件が満たされる請求項１１に記載のマシン読取可能媒体。
【請求項１３】
前記条件は、符号化後の前記マルチ・ビットＡ／Ｎのサイズとして定義され、符号化後の前記マルチ・ビットＡ／Ｎのサイズが、予め定義されたしきい値よりも大きい場合、前記条件が満たされる請求項１１に記載のマシン読取可能媒体。
【請求項１４】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値よりも大きい場合、前記条件が満たされる請求項１１に記載のマシン読取可能媒体。
【請求項１５】
前記条件は、符合化後の前記マルチ・ビットＡ／Ｎのサイズと、符号化後の前記その他の情報のサイズとの合計として定義され、符号化後の前記マルチ・ビットＡ／Ｎのサイズと、符合化後の前記その他の情報のサイズとの合計が、予め定義されたしきい値よりも大きい場合、前記条件が満たされる請求項１１に記載のマシン読取可能媒体。
【請求項１６】
前記条件が満たされていない場合、前記マルチ・ビットＡ／Ｎと前記その他の情報とをともに符号化することと、
前記条件が満たされていない場合、ともに符号化されたマルチ・ビットＡ／Ｎとその他の情報とを備えるメッセージを構築することと
をさらに備える請求項１１に記載のマシン読取可能媒体。
【請求項１７】
前記条件は、前記マルチ・ビットＡ／Ｎのサイズとして定義され、前記マルチ・ビットＡ／Ｎのサイズが、予め定義されたしきい値未満である場合、前記条件は満たされない請求項１６に記載のマシン読取可能媒体。
【請求項１８】
前記条件は、符合化後の前記マルチ・ビットＡ／Ｎのサイズとして定義され、符合化後の前記マルチ・ビットＡ／Ｎのサイズが、予め定義されたしきい値未満である場合、前記条件は満たされない請求項１６に記載のマシン読取可能媒体。
【請求項１９】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値未満である場合、前記条件が満たされない請求項１６に記載のマシン読取可能媒体。
【請求項２０】
前記条件は、符合化後の前記マルチ・ビットＡ／Ｎのサイズと、符号化後の前記その他の情報のサイズとの合計として定義され、前記合計が、予め定義されたしきい値未満である場合、前記条件が満たされない請求項１６に記載のマシン読取可能媒体。
【請求項２１】
無線通信システムにおいて動作可能な装置であって、
アップリンク送信に利用可能なマルチ・ビット・アクノレッジ（マルチ・ビットＡ／Ｎ）を受信し、アップリンク送信に利用可能なその他の情報を、前記マルチ・ビットＡ／Ｎと共に受信し、条件が満たされているかを判定し、前記条件が満たされている場合、前記マルチ・ビットＡ／Ｎを備えるメッセージを構築し、前記その他の情報を省くように構成されたプロセッサと、
前記プロセッサに接続され、前記メッセージを受信機へ送信する送信機と、
前記プロセッサに接続され、前記プロセッサの動作に関連するデータを格納するメモリと
を備える装置。
【請求項２２】
前記条件は、前記マルチ・ビットＡ／Ｎのサイズとして定義され、前記マルチ・ビットＡ／Ｎのサイズが、予め定義されたしきい値よりも大きい場合、前記条件が満たされる請求項２１に記載の装置。
【請求項２３】
前記条件は、符号化後の前記マルチ・ビットＡ／Ｎのサイズとして定義され、符号化後の前記マルチ・ビットＡ／Ｎのサイズが、予め定義されたしきい値よりも大きい場合、前記条件が満たされる請求項２２に記載の装置。
【請求項２４】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値よりも大きい場合、前記条件が満たされる請求項２２に記載の装置。
【請求項２５】
前記条件は、符合化後の前記マルチ・ビットＡ／Ｎのサイズと、符号化後の前記その他の情報のサイズとの合計として定義され、符号化後の前記マルチ・ビットＡ／Ｎのサイズと、符合化後の前記その他の情報のサイズとの合計が、予め定義されたしきい値よりも大きい場合、前記条件が満たされる請求項２２に記載の装置。
【請求項２６】
前記条件が満たされていない場合、前記マルチ・ビットＡ／Ｎと前記その他の情報とをともに符号化することと、
前記条件が満たされていない場合、ともに符号化されたマルチ・ビットＡ／Ｎとその他の情報とを備えるメッセージを構築することと
をさらに備える請求項２２に記載の装置。
【請求項２７】
前記条件は、前記マルチ・ビットＡ／Ｎのサイズとして定義され、前記マルチ・ビットＡ／Ｎのサイズが、予め定義されたしきい値未満である場合、前記条件は満たされない請求項２６に記載の装置。
【請求項２８】
前記条件は、符合化後の前記マルチ・ビットＡ／Ｎのサイズとして定義され、符合化後の前記マルチ・ビットＡ／Ｎのサイズが、予め定義されたしきい値未満である場合、前記条件は満たされない請求項２６に記載の装置。
【請求項２９】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値未満である場合、前記条件が満たされない請求項２６に記載の装置。
【請求項３０】
前記条件は、符合化後の前記マルチ・ビットＡ／Ｎのサイズと、符号化後の前記その他の情報のサイズとの合計として定義され、前記合計が、予め定義されたしきい値未満である場合、前記条件が満たされない請求項２６に記載の装置。
【請求項３１】
無線通信システムにおいて動作可能な装置であって、
アップリンク送信に利用可能なマルチ・ビット・アクノレッジ（マルチ・ビットＡ／Ｎ）を受信し、アップリンク送信に利用可能なその他の情報を、前記マルチ・ビットＡ／Ｎと共に受信し、条件が満たされているかを判定し、前記条件が満たされている場合、前記マルチ・ビットＡ／Ｎを備えるメッセージを構築し、前記その他の情報を省く手段
を備える装置。
【請求項３２】
前記条件は、符号化後の前記マルチ・ビットＡ／Ｎのサイズとして定義され、符号化後の前記マルチ・ビットＡ／Ｎのサイズが、予め定義されたしきい値よりも大きい場合、前記条件が満たされる請求項３１に記載の装置。
【請求項３３】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値よりも大きい場合、前記条件が満たされる請求項３１に記載の装置。
【請求項３４】
前記条件は、符合化後の前記マルチ・ビットＡ／Ｎのサイズと、符号化後の前記その他の情報のサイズとの合計として定義され、符号化後の前記マルチ・ビットＡ／Ｎのサイズと、符合化後の前記その他の情報のサイズとの合計が、予め定義されたしきい値よりも大きい場合、前記条件が満たされる請求項３１に記載の装置。
【請求項３５】
前記条件が満たされていない場合、前記マルチ・ビットＡ／Ｎと前記その他の情報とをともに符号化することと、
前記条件が満たされていない場合、ともに符号化されたマルチ・ビットＡ／Ｎとその他の情報とを備えるメッセージを構築することと
をさらに備える請求項３１に記載の装置。
【請求項３６】
前記条件は、前記マルチ・ビットＡ／Ｎのサイズとして定義され、前記マルチ・ビットＡ／Ｎのサイズが、予め定義されたしきい値未満である場合、前記条件は満たされない請求項３５に記載の装置。
【請求項３７】
前記条件は、符合化後の前記マルチ・ビットＡ／Ｎのサイズとして定義され、符合化後の前記マルチ・ビットＡ／Ｎのサイズが、予め定義されたしきい値未満である場合、前記条件は満たされない請求項３５に記載の装置。
【請求項３８】
前記条件は、前記マルチ・ビットＡ／Ｎのサイズと、前記その他の情報のサイズとの合計として定義され、前記マルチ・ビットＡ／Ｎのサイズと、前記その他の情報のサイズとの合計が、予め定義されたしきい値未満である場合、前記条件が満たされない請求項３５に記載の装置。
【請求項３９】
前記条件は、符合化後の前記マルチ・ビットＡ／Ｎのサイズと、符号化後の前記その他の情報のサイズとの合計として定義され、前記合計が、予め定義されたしきい値未満である場合、前記条件が満たされない請求項３５に記載の装置。
【発明の詳細な説明】
【関連出願に対する相互参照】
【０００１】
本願は、２００８年５月５日に出願され、“ＭＥＴＨＯＤＳ  ＡＮＤ  ＡＰＰＡＲＡＴＵＳＥＳ  ＦＯＲ  ＨＡＮＤＬＩＮＧ  ＭＵＬＴＩ−ＢＩＴ  ＡＣＫＮＯＷＬＥＤＧＥ  ＡＮＤ  ＯＴＨＥＲ  ＵＰＬＩＮＫ  ＰＨＹＳＩＣＡＬ  ＣＨＡＮＮＥＬＳ  ＴＨＡＴ  ＡＲＥ  ＡＶＡＩＬＡＢＬＥ  ＦＯＲ  ＵＰＬＩＮＫ  ＴＲＡＮＳＭＩＳＳＩＯＮ  ＩＮ  ＳＡＭＥ  ＳＵＢ−ＦＲＡＭＥ”と題され、すべての目的のために、本明細書において、あたかもそのすべてが記載されているかのように参照によって込みこまれた同時係属中の米国仮特許出願６１／０５０，５４６号からの３５Ｕ．Ｓ．Ｃ．§１１９（ｅ）における優先権を主張する。
【背景技術】
【０００２】
無線通信システムは、例えば、音声、データ等のようなさまざまなタイプの通信コンテンツを提供するために広く開発された。これらのシステムは、利用可能なシステム・リソース（例えば帯域幅および送信電力）を共有することにより、複数のユーザとの通信をサポートすることができる多元接続システムを含みうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００３】
一般に、無線多元接続通信システムは、複数のモバイル・デバイスのための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００５】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビームフォーミング・ゲインを抽出できるようになる。
【０００６】
一般に、無線セルラ通信ネットワークは、多くのモバイルＵＥおよび多くのノードＢを組み込む。ノードＢは一般に固定局であり、基地トランシーバ・システム（ＢＴＳ）、アクセス・ポイント（ＡＰ）、基地局（ＢＳ）、あるいは他のいくつかの同等な専門用語でも称されうる。ネットワークに対する改良がなされると、ノードＢ機能も発展し、ノードＢはしばしば、発展型ノードＢ（ｅＮＢ）とも称される。一般に、ノードＢハードウェアは、適用される場合、固定され据え置かれる一方、ＵＥハードウェアは、ポータブルである。
【０００７】
ノードＢとは対照的に、モバイルＵＥは、ポータブル・ハードウェアを備えうる。端末または移動局とも一般に称されるユーザ機器（ＵＥ）は、固定式またはモバイル式のデバイスであり、無線デバイス、セルラ電話、携帯情報端末（ＰＤＡ）、無線モデム・カード等とも称される。アップリンク通信（ＵＬ）は、モバイルＵＥからノードＢへの通信を称する一方、ダウンリンク（ＤＬ）は、ノードＢからモバイルＵＥへの通信を称する。おのおののノードＢは、自由に動き回るモバイルと直接的に通信するために使用されるラジオ周波数送信機および受信機を含んでいる。同様に、おのおののモバイルＵＥは、ノードＢと直接的に通信するために使用されるラジオ周波数送信機および受信機を含んでいる。セルラ・ネットワークでは、モバイルは、互いに直接的に通信することはできないが、ノードＢと通信せねばならない。
【０００８】
制御情報ビットは、例えば、いくつかの目的のために、アップリンク（ＵＬ）で送信される。例えば、ダウンリンク・ハイブリッド自動反復要求（ＨＡＲＱ）は、巡回冗長検査（ＣＲＣ）が成功したか失敗したかを示すために、アップリンクで送信されるＡＣＫ／ＮＡＣＫのうち少なくとも１ビットを必要とする。さらに、ＵＥに、アップリンクで送信するための新たなデータが到着すると、１ビットのスケジューリング要求インジケータ（ＳＲＩ）が送信される。さらに、モバイルＵＥがダウンリンクでスケジューリングすることを支援するために、ダウリンク・チャネル品質（ＣＱＩ）のインジケータが、アップリンクで送信される必要がある。ＣＱＩは、定期的またはトリガ・メカニズムに基づいて送信されうる一方、ＡＣＫ／ＮＡＣＫは一般に、ＨＡＲＱ動作をサポートするために、タイムリーな方式で送信される必要がある。ＡＣＫ／ＮＡＣＫはしばしば、ＡＣＫ／ＮＡＫ、Ａ／Ｎ、ＡＣＫ、またはその他同等の用語で称されることに注目されたい。この例から分かるように、制御情報のいくつかの要素は、他の情報と比べた場合、追加の保護が提供されねばならない。例えば、ＡＣＫ／ＮＡＣＫ情報は、適切かつ正確なＨＡＲＱ動作をサポートするために、一般に、高い信頼性が望まれる。アップリンク制御情報は、イボルブド・ユニバーサル地上ラジオ・アクセス（ＥＵＴＲＡ）のために、一般に、３ＧＰＰワーキング・グループ（ＷＧ）によって定義されたような物理アップリンク制御チャネル（ＰＵＣＣＨ）を用いて送信される。ＥＵＴＲＡはまたしばしば、３ＧＰＰロング・ターム・イボリューション（３ＧＰＰ  ＬＴＥ）とも称される。ＰＵＣＣＨの構成は、十分に高い送信信頼性を提供するように設計されている。
【０００９】
ＰＵＣＣＨに加えて、ＥＵＴＲＡ規格はさらに、アップリンク・ユーザ・データの送信を意図して、物理アップリンク共有チャネル（ＰＵＳＣＨ）を定義している。物理アップリンク共有チャネル（ＰＵＳＣＨ）は、動的にスケジュールされうる。これは、ＰＵＳＣＨの時間−周波数リソースが、サブ・フレーム毎に再度割り当てられることを意味する。この（再）割当は、物理ダウンリンク制御チャネル（ＰＤＣＣＨ）を用いて、モバイルＵＥへ通信される。あるいは、ＰＵＳＣＨのリソースは、持続的なスケジューリングのメカニズムによって、半静的に割り当てられうる。したがって、スケジューラ割当に依存して、所定の時間−周波数ＰＵＳＣＨリソースも恐らく、任意のモバイルＵＥによって使用されうる。物理アップリンク制御チャネル（ＰＵＣＣＨ）はＰＵＳＣＨとは異なり、ＰＵＣＣＨは、アップリンク制御情報（ＵＣＩ）の送信のために使用される。ＰＵＣＣＨのために割り当てられた周波数リソースは、アップリンク周波数スペクトルの２つの極端なエッジにおいて発見される。対照的に、ＰＵＳＣＨのために使用される周波数リソースは、中心にある。ＰＵＳＣＨは、ユーザ・データの送信のために設計されているので、再送信が可能である。そして、ＰＵＳＣＨは、一般に、ＰＵＣＣＨよりも低いスタンド・アロン・サブ・フレーム信頼性でスケジュールされることが予想される。物理チャネルの一般的な動作は、例えば、“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｃｉｃａｌ  Ｃｈａｎｎｅｌｓ  ａｎｄ  Ｍｏｄｕｌａｔｉｏｎ  （Ｒｅｌｅａｓｅ  ８）”のようなＥＵＴＲＡ仕様に記載されている。
【００１０】
基準信号（ＲＳ）は予め定義された信号であり、送信機と受信機との両方に予め知られている。ＲＳは一般に、送信機と受信機との両方の観点から決定論的なものとして考えられる。ＲＳは一般に、受信機が信号伝播媒体を評価するために送信される。この処理は「チャネル推定」としても知られている。したがって、ＲＳは、チャネル推定を容易にするために送信されうる。チャネル推定値を導出すると、これらの推定値は、送信された情報の復調のために使用される。この種のＲＳはしばしば、復調ＲＳあるいはＤＭ  ＲＳと称される。ＲＳは、例えばチャネル・サウンディング（ＳＲＳ）、同期、あるいはその他任意の目的のようなその他の目的のためにも送信されることに注目されたい。また、基準信号（ＲＳ）はしばしば、パイロット信号、トレーニング信号、あるいは他の同義語で称されうることに注目されたい。
【００１１】
多くの現代の通信システムでは、ＵＥは、複数のダウンリンク・チャネルを同時に受信することができる。チャネルはおのおのの、ＵＥによって制御情報が基地局へ送信されることを必要としうる。それゆえ、アップリンク・チャネルでの送信のために、複数のアクノレッジメントが同時に必要とされることが一般的である。複数のアクノレッジメントは一般に、「マルチ・ビットＡＣＫ／ＮＡＫ」あるいは「マルチ・ビットＡ／Ｎ」を形成するためにともにグループ化される。マルチ・ビットＡ／Ｎ送信は、一般に、時分割デュプレクス（ＴＤＤ）システムにおける場合にように、いずれかのリンクにおいて非対称がある通信システムで使用される。ＵＥの電力リソースおよび符号リソースがｅＮＢのものよりもより貴重であるような、ＵＬ送信時間間隔（ＴＴＩ）よりもより長いＤＬ  ＴＴＩがある場合には、通常、より多くの問題がある。例えば、一般的な通信システムは、４つのダウンリンク処理および１つのアップリンク処理を用いる。その後、４つのダウンリンク処理などがアップリンク送信の後に続く。一般に、４つのダウンリンク処理のおのおののためのアクノレッジメントは、単一のアップリンクで送られる。しかしながら、アップリンク送信のサブ・フレームの間、例えばチャネル品質インジケータ（ＣＱＩ）、スケジューリング要求（ＳＲ）、サウンディング基準信号（ＳＲＳ）、あるいはその他の情報のような他の情報は、同じサブ・フレームでの送信に利用可能でありうる。一般に、サブ・フレームには、マルチ・ビットＡ／Ｎおよびその他の情報を含めるほど十分な余地はない。したがって、必要なものは、同じサブ・フレームでの送信に利用可能なその他のデータに加えて、マルチ・ビットＡ／Ｎ送信を効率的に送信する方法である。
【発明の概要】
【００１２】
無線通信システムにおけるアップリンク・リソース管理を記載するための方法および装置が本明細書で記載される。さらに詳しくは、ここで示されるアイデアは、マルチ・ビットＡ／Ｎとその他の情報との両方が、アップリンク送信のために利用可能である場合におけるマルチ・ビットＡ／Ｎの管理に関連する。
【００１３】
１つの実施形態では、アップリンク・リソース管理は方法を備える。この方法は、アップリンク送信に利用可能なマルチ・ビット・アクノレッジ（マルチ・ビットＡ／Ｎ）を受信することと、アップリンク送信に利用可能なその他の情報を、マルチ・ビットＡ／Ｎと共に受信することとを備える。次に、条件が満たされているかについて判定がなされる。条件が満たされている場合、マルチ・ビットＡ／Ｎを備えるメッセージが構築される一方、その他の情報は省かれ、送信されない。その後、このメッセージは、アップリンク・チャネルで受信機へ送信される。
【００１４】
別の実施形態では、アップリンク・リソース管理は、プロセッサを備える装置を備える。このプロセッサは、アップリンク送信に利用可能なマルチ・ビット・アクノレッジ（マルチ・ビットＡ／Ｎ）を受信し、アップリンク送信に利用可能その他の情報を、マルチ・ビットＡ／Ｎとともに受信し、条件が満たされているかを判定し、条件が満たされている場合、マルチ・ビット・アクノレッジを備えるメッセージを構築し、その他の情報を省くように構成される。この装置はさらに、プロセッサに接続され、メッセージを受信機へ送信する送信機と、プロセッサに接続され、プロセッサの動作に関連するデータを格納するメモリとを備える。
【００１５】
また別の実施形態では、アップリンク・リソース管理は、装置を備える。この装置は、アップリンク送信に利用可能なマルチ・ビット・アクノレッジ（マルチ・ビットＡ／Ｎ）を受信し、アップリンク送信に利用可能その他の情報を、マルチ・ビットＡ／Ｎとともに受信し、条件が満たされているかを判定し、条件が満たされている場合、マルチ・ビット・アクノレッジを備えるメッセージを構築し、その他の情報を省く手段を備える。この装置はさらに、メッセージを受信機へ送信する手段を備える。
【００１６】
また別の実施形態では、アップリンク・リソース管理は、マシン読取可能媒体を備える。マシン読取可能媒体は、マシンによって実行された場合、マシンに対して、アップリンク送信に利用可能なマルチ・ビット・アクノレッジ（マルチ・ビットＡ／Ｎ）を受信することと、アップリンク送信に利用可能その他の情報を、マルチ・ビットＡ／Ｎとともに受信することと、条件が満たされているかを判定することと、条件が満たされている場合、マルチ・ビット・アクノレッジを備えるメッセージを構築する一方、その他の情報を省くことと、このメッセージをアップリンク・チャネルで受信機へ送信することと、を含む動作を実行させるための命令群を備える。
【図面の簡単な説明】
【００１７】
本開示の特徴、特性、および利点は、同一の参照符号が全体を通じて同一物に特定している図面とともに考慮された場合、以下に記載する詳細な記述からより明らかになるだろう。
【図１】図１は、１つの実施形態にしたがう多元接続無線通信システムを例示する。
【図２】図２は、通信システムのブロック図である。
【図３】図３は、ダウンリンク処理とアップリンク処理の非対称な分割を例示する。
【図４】図４は、さまざまなＰＵＣＣＨフォーマットを示す表である。
【図５】図５は、マルチ・ビット・アクノレッジメントおよび送信に利用可能なその他の情報が、どのように取り扱われるかを例示するフローチャートである。
【図６】図６は、モバイル・デバイスにおけるアップリンク・リソース管理のための装置の１つの実施形態を例示する。
【発明を実施するための形態】
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびロー・チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１９】
単一キャリア周波数分割多元接続（ＳＣ−ＦＤＭＡ）は、単一のキャリア変調および周波数領域等化を使用する。ＳＣ−ＦＤＭＡは、ＯＦＤＭＡシステムと実質的に同じ複雑さと同程度のパフォーマンスとを有する。ＳＣ−ＦＤＭＡ信号は、一般に、その固有の単一キャリア構造により、より低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは、現在、３ＧＰＰロング・ターム・イボリューション（ＬＴＥ）またはイボルブドＵＴＲＡにおけるアップリンク多元接続スキームのための動作前提となっている。
【００２０】
図１に示すように、１つの実施形態にしたがう多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンクすなわちダウンリンク１２０によってアクセス端末１１６へ情報を送信し、逆方向リンクすなわちアップリンク１１８によってアクセス端末１１６から情報を受信する。アクセス端末１２２は、アンテナ１０６、１０８と通信しており、アンテナ１０６、１０８は、順方向リンクすなわちダウンリンク１２６０によってアクセス端末１２２へ情報を送信し、逆方向リンクすなわちアップリンク１２４によってアクセス端末１２２から情報を受信する。ＦＤＤシステムでは、通信リンク１１８、１２０、１２４、１２６は、通信のために異なる周波数を使用する。例えば、順方向リンク１２０は、逆方向リンク１１８によって使用されるものとは異なる周波数を使用しうる。
【００２１】
通信するように設計された領域および／またはアンテナのおのおののグループはしばしば、アクセス・ポイントのセクタと称される。一般に、アンテナ・グループはおのおの、アクセス・ポイント１００によってカバーされる全体領域のうちの１つのセクタ内のアクセス端末と通信するように設計されている。
【００２２】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、ビームフォーミングは、アクセス端末のすべてに対して単一のアンテナで送信しているアクセス・ポイントよりも、近隣セル内のアクセス端末に対して少ない干渉しかもたらさない。
【００２３】
アクセス・ポイントは、（固定式または移動式である）端末との通信のために使用される固定局であり、アクセス・ポイント、ノードＢ、あるいはその他いくつかの専門用語で称されうる。アクセス端末は、ユーザ機器（ＵＥ）、無線通信デバイス、端末、あるいはその他いくつかの同等の専門用語で称されうる。
【００２４】
図２は、ＭＩＭＯ通信システム２００における送信機システム２１０（アクセス・ポイントとしても知られている）および受信機システム２５０（ＵＥとして知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２５】
実施形態では、おのおののデータ・ストリームは、それぞれの送信アンテナを通して送信される。ＴＸデータ・プロセッサ２１４は、おのおののデータ・ストリームのトラフィック・データ・ストリームをフォーマットし、このデータ・ストリームのために選択された特定の符合化スキームに基づいて符号化し、インタリーブして、符合化されたデータを提供する。
【００２６】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符合化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２７】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００２８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２９】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３０】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。その後、ＲＸデータ・プロセッサ２６０は、検出されたおのおののシンボル・ストリームを復調、逆インタリーブ、および復号して、これらデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３１】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３２】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３３】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符合化行列を使用するかを決定するために、この抽出されたメッセージを処理する。
【００３４】
態様では、論理チャネルが、制御チャネルとトラフィック・チャネルとに分類される。論理制御チャネルは、ブロードキャスト制御チャネル（ＢＣＣＨ）、ページング制御チャネル（ＰＣＣＨ）、およびマルチキャスト制御チャネル（ＭＣＣＨ）を備える。ＢＣＣＨは、システム制御情報をブロードキャストするために使用されるダウンリンク・チャネルである。ＰＣＣＨは、ページング情報を転送するダウンリンク・チャネルである一方、ＭＣＣＨは、１またはいくつかのマルチキャスト・トラフィック・チャネル（ＭＴＣＨ）のためマルチメディア・ブロードキャストおよびマルチキャスト・サービス（ＭＢＭＳ）スケジューリングおよび制御情報を送信するために使用されるポイント・トゥ・マルチポイント・ダウンリンク・チャネルである。一般に、ラジオ・リソース制御（ＲＲＣ）接続を確立した後、このチャネルは、ＭＢＭＳを受信するＵＥによってのみ使用される。専用制御チャネル（ＤＣＣＨ）は、専用制御情報を送信するポイント・トゥ・ポイント双方向チャネルとして定義され、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。さらに、マルチキャスト・トラフィック・チャネル（ＭＴＣＨ）は、ダウンリンクでポイント・トゥ・マルチポイント・トラフィック・データを送信するために定義される。
【００３５】
態様では、伝送チャネルは、ダウンリンク（ＤＬ）およびアップリンク（ＵＬ）チャネルに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、ＵＥにおける節電をサポートする（ＤＲＸサイクルが、ネットワークによってＵＥへ示される）。それは一般に、セル全体にわたってブロードキャストされ、他の制御／トラフィック・チャネルのために使用されるＰＨＹリソースへマップされる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３６】
ＤＬ  ＰＨＹチャネルは以下を備える。共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、負荷インジケータ・チャネル（ＬＩＣＨ）。
【００３７】
ＵＬ  ＰＨＹチャネルは以下を備える。物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、ブロードキャスト・パイロット・チャネル（ＢＰＩＣＨ）。
【００３８】
態様では、単一キャリア波形の低ＰＡＰＲ特性を保つチャネル構造が提供される（任意の時間において、チャネルは、周波数的に隣接しているか、あるいは一定間隔で配置されている）。
【００３９】
本書の目的のために、以下の略語を適用する。  
ＡＭ：アクノレッジ・モード  
ＡＭＤ：アクノレッジ・モード・データ  
ＡＲＱ：自動反復要求  
ＢＣＣＨ：ブロードキャスト制御チャネル  
ＢＣＨ：ブロードキャスト・チャネル  
Ｃ−：制御−  
ＣＣＣＨ：共通制御チャネル  
ＣＣＨ：制御チャネル  
ＣＣＴｒＣＨ：符号化された合成伝送チャネル  
ＣＰ：サイクリック・プレフィクス  
ＣＲＣ：巡回冗長検査  
ＣＴＣＨ：共通トラフィック・チャネル  
ＤＣＣＨ：専用制御チャネル  
ＤＣＨ：専用チャネル  
ＤＬ：ダウンリンク  
ＤＳＣＨ：ダウンリンク共有チャネル  
ＤＴＣＨ：専用トラフィック・チャネル  
ＦＡＣＨ：順方向リンク・アクセス・チャンネル  
ＦＤＤ：周波数分割デュプレクス  
Ｌ１：レイヤ１（物理レイヤ）  
Ｌ２：レイヤ２（データ・リンク・レイヤ）  
Ｌ３：レイヤ３（ネットワーク・レイヤ）  
ＬＩ：長さインジケータ  
ＬＳＢ：最下位ビット  
ＭＡＣ：媒体アクセス制御  
ＭＢＭＳ：マルチメディア・ブロードキャスト・マルチキャスト・サービス  
ＭＣＣＨ：ＭＢＭＳポイント・トゥ・マルチポイント制御チャネル  
ＭＲＷ：動き受信ウィンドウ  
ＭＳＢ：最上位ビット  
ＭＳＣＨ：ＭＢＭＳポイント・トゥ・マルチポイント・をスケジューリング・チャネル  
ＭＴＣＨ：ＭＢＭＳポイント・トゥ・マルチポイント・トラフィック・チャネル  
ＰＣＣＨ：ページング制御チャネル  
ＰＣＨ：ページング・チャネル  
ＰＤＵ：プロトコル・データ・ユニット  
ＰＨＹ：物理レイヤ  
ＰｈｙＣＨ：物理チャネル  
ＲＡＣＨ：ランダム・アクセス・チャネル  
ＲＬＣ：無線リンク制御  
ＲＲＣ：ラジオ・リソース制御  
ＳＡＰ：サービス・アクセス・ポイント  
ＳＤＵ：サービス・データ・ユニット  
ＳＨＣＣＨ：共有チャネル制御チャネル  
ＳＮ：シーケンス番号  
ＳＵＦＩ：スーパ・フィールド  
ＴＣＨ：トラフィック・チャネル  
ＴＤＤ：時分割デュプレクス  
ＴＦＩ：伝送フォーマット・インジケータ  
ＴＭ：透過モード  
ＴＭＤ：透過モード・データ  
ＴＴＩ：送信時間インタバル  
Ｕ−：ユーザ−  
ＵＥ：ユーザ機器  
ＵＬ：アップリンク  
ＵＭ：非アクノレッジ・モード  
ＵＭＤ：非アクノレッジ・モード・データ  
ＵＭＴＳ：ユニバーサル・モバイル通信システム  
ＵＴＲＡ：ＵＭＴＳ地上ラジオ・アクセス  
ＵＴＲＡＮ：ＵＭＴＳ地上ラジオ・アクセス・ネットワーク  
ＭＢＳＦＮ：マルチキャスト・ブロードキャスト単一周波数ネットワーク  
ＭＣＥ：ＭＢＭＳ調整エンティティ  
ＭＣＨ：マルチキャスト・チャネル  
ＤＬ−ＳＣＨ：ダウンリンク共有チャネル  
ＭＳＣＨ：ＭＢＭＳ制御チャネル  
ＰＤＣＣＨ：物理ダウンリンク制御チャネル  
ＰＤＳＣＨ：物理ダウンリンク共有チャネル  
ＭＢＳＦＮ：マルチキャスト・ブロードキャスト単一周波数ネットワーク  
ＭＣＥ：ＭＢＭＳ調整エンティティ  
ＭＣＨ：マルチキャスト・チャネル  
ＤＬ−ＳＣＨ：ダウンリンク共有チャネル  
ＭＳＣＨ：ＭＢＭＳ制御チャネル  
ＰＤＣＣＨ：物理ダウンリンク制御チャネル  
ＰＤＳＣＨ：物理ダウンリンク共有チャネル。
【００４０】
ＬＴＥ通信システムにおけるアップリンク（ＵＬ）は、ＳＣ−ＦＤＭＡ（単一キャリア周波数分割多元接続）に基づく。単一キャリア特性は、一般に、アップリンク（ＵＬ）送信に関係なく保持される。マルチ・ビットによるＡＣＫ送信およびＮＡＫ送信は、例えば、アップリンク（ＵＬ）処理よりも多くのダウンリンク（ＤＬ）処理を有する時分割デュプレクス（ＴＤＤ）システムのようなシステムに関連している。
【００４１】
図３は、ダウンリンク処理およびアップリンク処理の非対称部分を例示する。４つのダウンリンクＨＡＲＱ処理（ＤＬ＿１、ＤＬ＿２、ＤＬ＿３、およびＤＬ＿４）と１つのアップリンク処理（ＵＬ＿１）がある。例えば、ダウンリンク処理とアップリンク処理との間で、２対１、３対１、９対１、あるいは、より一般的には、Ｎ対１のようなその他の非対称のバリエーションが可能であることが理解されるべきである。
【００４２】
図３に戻って、基地局によって４つのダウンリンク処理が送信され、ＵＥによって受信された後、一般に、ＵＥからのアップリンク送信が続く。次に、基地局によって、別の４つのダウンリンク処理が送信され、別のアップリンク処理が続く等となる。４つのダウンリンク処理のおのおののアクノレッジメント（または否定的なアクノレッジメント）が、一般に、ＵＥによって、アップリンク処理（ＵＬ＿１）チャネルで送信される。これらのアクノレッジメントは、ともにグループ化され、マルチ・ビットのアクノレッジメント／否定的アクノレッジメント（マルチ・ビットＡ／Ｎ）を形成する。しかしながら、例えばチャネル品質インジケータ（ＣＱＩ）、スケジューリング要求（ＳＲ）、サウンディング基準信号（ＳＲＳ）、あるいはその他の情報のような他の情報もまた、マルチ・ビットＡ／Ｎと共に送信するために利用することが可能でありうる。
【００４３】
一般に、ダウンリンク処理とアップリンク処理との間の非対称な特性は、（例えば、ＡＣＫ／ＮＡＣＫ、ＣＱＩスケジューリング要求、サウンディング基準信号、およびその他のような）情報の伝送を、ほとんど同時に必要とする。一般に、これらのタイプの情報のおのおのは、アップリンク・メッセージの１つのサブ・フレームで送信される。
【００４４】
物理アップリンク制御チャネル（ＰＵＣＣＨ）は、ＵＥから基地局へと制御情報を提供するように、ＬＴＥシステムにおいて定義されている。図４に示すように、ＰＵＣＣＨはいくつかのフォーマットを持っている。ＰＵＣＣＨフォーマット１は、ＳＲ送信のために使用される。ＰＵＣＣＨフォーマット１Ａは、ＡＣＫ送信（ＳＩＭＯ：  １ビット）のために使用される。ＰＵＣＣＨフォーマット１Ｂは、ＡＣＫ送信（ＭＩＭＯ：  ２ビット）のために使用される。ＰＵＣＣＨフォーマット２は、ＣＱＩ送信のために使用される。１つの実施形態によれば、ＣＱＩおよびＡ／Ｎは、下記技術が使用されるものと同じサブ・フレームで送信される。
【００４５】
ハイブリッド自動反復要求（ＨＡＲＱ）は、現代のセルラ・ネットワークにおけるデファクトＭＡＣレイヤ再送信スキームとなっており、これらのネットワークにおいて、送信が成功する確率を著しく高めることで評価されうる。ＨＡＲＱは、既に失敗した送信からの信号を、新たな再送信の信号と結合し、正しい復号確率を高めるという点において、従来の再送信スキームとは異なる。ＨＡＲＱ−ＡＣＫフィードバックは、１より多くのダウンリンク（ＤＬ）処理のためのアクノレッジメント情報を提供し、例えばメッセージ・サブ・フレームにおけるような１つのアップリンク・メッセージで送信されうる。
【００４６】
図５は、マルチ・ビットＡ／Ｎとその他の情報との両方がアップリンク送信のために利用可能である場合、これらを処理するための方法を例示するフロー図である。ステップ５１０において、マルチ・ビットＡ／Ｎは、一般に、例えば図２のプロセッサ２３８および／またはプロセッサ２７０のようなプロセッサによるアップリンク送信およびアップリンク受信のために利用可能である。ステップ５２０では、アップリンク送信のために、マルチ・ビットＡ／Ｎとともにその他の情報も利用可能であり、プロセッサによって受信される。ステップ５３０では、条件が満たされているか否かについて判定がなされる。１つの実施形態では、この条件は、マルチ・ビットＡ／Ｎのサイズであり、あらかじめ定めたしきい値を超えているか否かである。条件が満たされる場合、５４０において、マルチ・ビットＡ／Ｎを備えるアップリンク・メッセージが構築される。しかしながら、他の情報のすべてまたは一部は、省かれ、送信されない。プロセッサ２３８および／またはプロセッサ２７０は一般に、このステップを実行する。１つの実施形態では、マルチ・ビットＡ／Ｎに含まれるビット数は、予め定めたしきい値を選択するための基礎として使用される。例えば、特定のマルチ・ビットＡ／Ｎのサイズが８である場合、５のような値が、予め定めた値に選択されうる。この選択された値は、例えばシステム容量、送信されるべき他の情報の量、他の情報が受信されるレートのような多くのシステム制約に依存するだろう。別の実施形態では、予め定めたしきい値は、マルチ・ビットＡ／Ｎが符号化された後のビット数に基づく。例えば、ＲＭ（２０，Ｎ）符号（すなわち、エンコーダから出力された２０ビット）が使用される場合、予め定めたしきい値は、デコーダの出力におけるビット数に基づきうる。この例では、恐らく１２または１３が、予め定めたしきい値として選択されるだろう。また別の実施形態では、送信からの他の情報を省くか否かを判定するために、その他の情報が、マルチ・ビットＡ／Ｎのサイズと連携して使用されうる。この実施形態では、マルチ・ビットＡ／Ｒのビット数と、その他の情報のビット数との合計が、送信からの他の情報を省くかを判定するために使用される。これらビットの合計が、予め定めたしきい値よりも大きい場合、これらその他の情報が省かれる。別の実施形態では、マルチ・ビットＡ／Ｎとその他の情報を個別に符号化した後のビット数の合計が、しきい値と比較され、送信からのその他の情報を省くか否かが判定される。合計が、予め定めたしきい値を超える場合、これらその他の情報のうちのいくつかまたはすべてが省かれる。合計が、予め定めたしきい値未満である場合、マルチ・ビットＡ／Ｎは、これらその他の情報とともに符号化される。
【００４７】
図５に戻って、もしも条件が満たされていない場合にはステップ５５０が実行される。ここでは、マルチ・ビットＡ／Ｎおよびその他の情報が、一般に、再びプロセッサ２３８および／またはプロセッサ２７０を用いてともに符号化される。その後、アップリンク・メッセージが、ステップ５６０において、ともに符号化された情報を用いて（一般に、プロセッサ２３８および／またはプロセッサ２７０を用いて）構築される。（条件が満たされているか、あるいは、満たされていない）いずれの場合であれ、ステップ５７０では、変調器２８０および送信機２５４ｒを用いて、アップリンク・メッセージが基地局へ送信される。
【００４８】
１つの実施形態では、マルチ・ビットＡ／ＮおよびＳＲの両方がアップリンク送信のために利用可能である場合、ＳＲを省いてマルチ・ビットＡ／Ｎのみを送信すべきか、あるいは、マルチ・ビットＡ／ＮとＳＲとをともに符号化すべきかを判定するために条件が評価される。１つの実施形態では、条件は、マルチ・ビットＡ／Ｎのサイズが、与えられたしきい値を越えているかである。このサイズは、情報を送信するために必要なリソース量、時間の長さ、あるいはビット数の表現として表されうる。マルチ・ビットＡ／Ｎのサイズが、予め定めたしきい値よりも大きい場合、例えばプロセッサ２３８および／またはプロセッサ２７０のようなＵＥにおけるプロセッサは、基地局へのマルチ・ビットＡ／Ｎ送信を備えるアップリンク・メッセージを構築する一方、ＳＲ情報は、省かれ、送信されない。１つの実施形態では、プロセッサは、マルチ・ビットＡ／Ｎを伝送するために、ＰＵＣＣＨフォーマット２を使用する。省かれたＳＲは、後続する伝送において送信されうる。あるいは、すべて破棄されうる。１つの実施形態では、アップリンク・メッセージは、サブ・フレームに分割される１または複数のデータ・フレームを備える。この実施形態では、マルチ・ビットＡ／Ｎは、送信のために、サブ・フレームのうちの１つに挿入される。その後、アップリンク・メッセージが、例えば、図２に示す変調器２８０および送信機２５４ｒのような１または複数の電子構成要素へ提供される。
【００４９】
例えば、マルチ・ビットＡ／Ｎのサイズが、予め定めたしきい未満であるように、条件が満たされていない場合、いくつかの可能な方式のうちの１つで、情報がともに符号化される。１つの実施形態では、通常のサイクリック・プレフィクス（ＣＰ）が使用される場合、ＳＲは、ＤＭ−ＲＳ（２つのＤＭ−ＲＳシンボル／スロット）を変調する。ＳＲ＝ＤＴＸである（つまり、スケジューリング要求がない）場合、ＤＭ−ＲＳの変調はなく、ＰＵＣＣＨフォーマット２の規則的な送信がなされる。ＳＲ＝１である（つまり、スケジューリング要求がある場合）、各スロットにおいて、１つのＤＭ−ＲＳ変調（回転）がある。別の実施形態では、拡張されたＣＰを用いる場合、ＳＲおよびマルチ・ビットＡ／Ｎがともに符号化される（１つのＤＭ−ＲＳシンボル／スロット）。この場合、マルチ・ビットＡ／Ｎと、ＳＲを備えたマルチ・ビットＡ／Ｎとを区別するために、基地局（ｅＮＢ）の受信機において、ブラインド復号が利用される。
【００５０】
他の実施形態では、マルチ・ビットＡ／ＮおよびＣＱＩがともにアップリンク送信のために利用可能である場合、ＣＱＩを省いてマルチ・ビットＡ／Ｎのみを送信すべきか、あるいは、マルチ・ビットＡ／ＮとＣＱＩとをともに符号化すべきかを判定するために、条件が評価される。１つの実施形態では、条件は、マルチ・ビットＡ／Ｎのサイズが、与えられたしきい値を超えるかどうかである。このサイズは、情報を送信するために必要なリソースの量、時間の長さ、あるいはビット数として表されうる。マルチ・ビットＡ／Ｎのサイズが予め定めたしきい値よりも大きい場合、例えばプロセッサ２３８および／またはプロセッサ２７０のようなＵＥにおけるプロセッサは、基地局へのマルチ・ビットＡ／Ｎ送信を備えるアップリンク・メッセージを構築する一方、ＣＱＩ情報は省かれ、送信されない。１つの実施形態では、プロセッサは、マルチ・ビットＡ／Ｎを伝送するために、ＰＵＣＣＨフォーマット２を使用する。ドロップされたＣＱＩは、後続する伝送で送信されるか、あるいは、すべて破棄されうる。１つの実施形態では、アップリンク・メッセージは、１または複数のデータ・フレームを備える。これらは、サブ・フレームに分割される。この実施形態では、マルチ・ビットＡ／Ｎは、送信のために、サブ・フレームのうちの１つに挿入される。その後、図２に示すように、アップリンク・メッセージが、例えば変調器２８０および送信機２５４ｒのような１または複数の電子構成要素へ提供される。
【００５１】
例えば、マルチ・ビットＡ／Ｎのサイズが、予め定めたしきい値未満であるように、条件が満たされていない場合、いくつかの可能な方式のうちの１つにおいて、情報がともに符号化される。１つの実施形態では、通常のサイクリック・プレフィクス（ＣＰ）の場合、ＡＣＫ／ＮＡＣＫ（Ａ／Ｎ）が、サブ・フレームのおのおののスロットにおいて、１つのＤＭ−ＲＳ（復調基準信号）シンボルを変調する。拡張ＣＰの場合、Ａ／ＮおよびＣＱＩがともに符号化される。いずれの場合においても、ＣＱＩおよびＡ／Ｎは、ＣＱＩのＰＨＹリソース（ＰＵＣＣＨフォーマット２）で送信される。この場合、マルチ・ビットＡ／Ｎと、ＣＱＩを備えたマルチ・ビットＡ／Ｎとを区別するために、基地局（ｅＮＢ）の受信機において、ブラインド復号が利用される。
【００５２】
また別の実施形態では、マルチ・ビットＡ／ＮとＳＲＳがともに同じサブ・フレームにおけるアップリンク送信のために利用可能である場合、ＳＲＳを省いて、マルチ・ビットＡ／Ｎのみを送信すべきか、あるいは、マルチ・ビットＡ／ＮとＳＲＳとをともに符号化するかを判定するために評価される。１つの実施形態では、条件は、マルチ・ビットＡ／Ｎのサイズが、与えられたしきい値を越えるかどうかである。このサイズは、ビット数、時間の長さ、あるいは、情報を送信するために必要なリソースの量の表現するためのその他任意の方式として表現されうる。マルチ・ビットＡ／Ｎのサイズが、予め定めたしきい値よりも大きい場合、例えばプロセッサ２１４および／またはプロセッサ２３０のようなＵＥにおけるプロセッサは、ノードＢへのアップリンク送信のために、マルチ・ビットＡ／Ｎをサブ・フレームへ挿入し、そのサブ・フレームでは、ＳＲＳ情報が省かれるか、あるいは使用されない。１つの実施形態では、プロセッサは、マルチ・ビットＡ／Ｎを伝送するためにＰＵＣＣＨフォーマット２を使用する。ドロップされたＳＲＳ情報は、その後の伝送で送信されるか、あるいは、ともに破棄されうる。
【００５３】
例えば、マルチ・ビットＡ／Ｎのサイズが、予め定めたしきい値未満であるように、条件を満たさない場合、ＳＲＳ  ＰＨＹリソースおよびマルチ・ビットＡ／Ｎを用いて（他のすべてのシンボルを用いて）、ＳＲＳ（サブ・フレームにおける最後のＳＣ−ＦＤＭＡシンボル）を送信する。マルチ・ビットＡ／ＮのためにＰＨＹリソースが使用される。そして、最後のシンボルが切り詰められたＰＵＣＣＨフォーマット２が適用されうる。マルチ・ビットＡ／Ｎの送信のために、新たなＰＵＣＣＨフォーマットが必要とされないことが注目される。
【００５４】
表１は、マルチ・ビットＡ／Ｎとその他の情報との可能性のあるさまざまな組み合わせと、おのおのの組み合わせについて講じられる関連する動作とを例示する。例えば、マルチ・ビットＡ／ＮとＳＲとの両方が、送信に利用可能である場合、前述した６つ前および５つ前のパラグラフに記載された方法は、ノードＢへの送信のためのメッセージをどのように構築するかを決定するために使用される。同様に、マルチ・ビットＡ／ＮとＣＱＩとの両方が、ともに送信のために利用可能である場合、前述した４つ前および３つ前のパラグラフに記載された方法は、メッセージをどのように構築するかを決定するために使用される。最後に、マルチ・ビットＡ／ＮとＳＲＳとの両方が、ともに送信のために利用可能である場合、前述した２つ前および１つ前のパラグラフに記載された方法は、メッセージをどのように構築するかを決定するために使用される。（例えば、表１におけるＳＲ、ＳＲＳ、およびマルチ・ビットＡ／Ｎの組み合わせのように）２より多い情報のタイプが、マルチ・ビットＡ／Ｎとともに送信のために利用可能である場合、講じられる動作は、他のタイプの情報のうちの１つを送信することと、６つ前および５つ前のパラグラフ、４つ前および３つ前のパラグラフ、あるいは２つ前および１つ前のパラグラフかのいずれかに記載した方法のうちの１つを用いることとを含む。表１において使用されているＡ／Ｎ−ＳＲ、Ａ／Ｎ−ＣＱＩ、およびＡ／Ｎ−ＳＲＳは、６つ前および５つ前のパラグラフ、４つ前および３つ前のパラグラフ、または２つ前および１つ前のパラグラフにそれぞれ記載された方法を称していることが理解されるべきである。  
【表１】
2011520389.tif 000003
【００５５】
図６は、モバイル・デバイスにおいてアップリンク・リソースを管理するための装置の１つの実施形態を例示する。装置６００は、一般に、ユーザ機器（ＵＥ）内に存在する。装置６００は、コンピューティング・プラットフォーム、プロセッサ、ソフトウェア、またはこれらの組み合わせ（例えば、ファームウェア）によって実現される機能ブロックを含むものとして表されることが認識されるべきである。本明細書で説明されるさまざまな実施形態のさまざまな態様を実現するために、図６に示す機能ブロックの必ずしもすべてが必要とされるわけではないこともまた理解されるべきである。
【００５６】
装置６００は、連携して動作しうる電子構成要素の論理グループ６０２を含む。例えば、論理グループ６０２は、アップリンク送信のために利用可能であるマルチ・ビット・アクノレッジ（マルチ・ビットＡ／Ｎ）を受信するための１または複数の電子構成要素６０４を含みうる。電子構成要素６０４はさらに、例えばチャネル品質インジケータ（ＣＱＩ）、スケジューリング要求（ＳＲ）、サウンディング基準信号（ＳＲＳ）、またはその他の情報のようなマルチ・ビットＡ／Ｎとともにアップリンク送信のために利用可能であるその他の情報を受信するために使用される。電子構成要素６０４はさらに、条件が満たされているかを判定するために使用される。１つの実施形態では、マルチ・ビットＡ／Ｎのサイズが、予め定めたしきい値を越えるか否かの条件を備える。電子構成要素６０４はその後、マルチ・ビットＡ／Ｎを含むメッセージを構築し、条件が満たされている場合には、その他の情報を省き、メッセージを電子構成要素６０６へ提供する。条件が満たされていない場合、電子構成要素６０４は、マルチ・ビットＡ／Ｎとその他の情報とをともに符号化する。いずれの場合も、電子構成要素６０４は、マルチ・ビットＡ／Ｎであるか、ともに符号化されたマルチ・ビットＡ／Ｎおよびその他の情報であるかの何れかを備えるメッセージを構築し、このメッセージを、変調するための電子構成要素６０６と、オーバ・ザ・エアによって基地局へ送信するための電子構成要素６０８とに提供する。装置６００は、一般に、電子構成要素６０４−６０８に関連付けられた機能を実行するための命令群および情報を格納するための電子構成要素６１０を含む。
【００５７】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００５８】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５９】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００６０】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００６１】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。限定することなく、一例として、そのようなコンピュータ読取可能媒体は、ＲＡＭ、ＲＯＭ、ＥＰＲＯＭ、ＣＤ−ＲＯＭ、またはその他の光ディスク記憶装置、磁気ディスク記憶装置またはその他の磁気記憶デバイス、あるいは、所望のプログラム・コードを命令群またはデータ構造の形式で伝送または格納するために使用され、コンピュータによってアクセスさせることが可能なその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含み、ここでは、通常、ｄｉｓｋがデータを磁気的に再生する一方、ｄｉｓｃがデータを、レーザを用いて再生する。上記の組み合わせもまた、コンピュータ読取可能媒体の範囲内に含まれるべきである。
【００６２】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００６３】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
【図１】
2011520389.tif 000004
【図２】
2011520389.tif 000005
【図３】
2011520389.tif 000006
【図４】
2011520389.tif 000007
【図５】
2011520389.tif 000008
【図６】
2011520389.tif 000009
【国際調査報告】
2011520389.tif 000010
2011520389.tif 000011
2011520389.tif 000012